(57)【要約】      （修正有）【課題】チャンネル切換モジュールを提供する。【解決手段】チャンネル切換モジュールは、サーバホスト、メディアプレイヤー及びディスプレイ装置から構成される。そのうち、サーバホストは内部のコントローラがメディアプレイヤーを制御して複数のメディアファイルのエンコード、デコードを実施し、信号伝送モジュールが選択したメディア信号を外に向けて伝送した後、メディアプレイヤーの信号伝送モジュールを通してサーバホストが伝送したメディア信号を受信し、実行ユニットに連接したディスプレイ装置に再生する。しかしながら、仮にメディアプレイヤーのデバッグモジュールがモニタリングミスを犯した場合、即座にサーバホストのデバッグフィードバックモジュールによってモニタリングミスした信号を受信してコントローラに通報し、チャンネル切換ユニットで自動的に番組を変えるか、もしくはメディアチャンネルに即座に切り換える。【選択図】図１
0003144178.tif 000002
【実用新案登録請求の範囲】
【請求項１】
サーバホスト、メディアプレイヤー及びディスプレイ装置から構成されたチャンネル切換モジュールにおいて、そのうち、
該サーバホスト内部には一コントローラを具え、コントローラでメディアプレイヤー、信号伝送モジュール及びチャンネル切換ユニットに連接制御し、またメディアプロセッサで内部の複数のメディアファイルのエンコード、デコードを行った後、チャンネル切換ユニットでビデオチャンネルの切換を行い、信号伝送モジュールで選択したビデオ信号を外に向けて伝送し、
該メディアプレイヤーは、信号伝送モジュールでサーバホストが伝送したビデオ信号を受信し、その内部は一コントローラを具え、コントローラで連接制御した実行ユニットと外部のディスプレイ装置が電気連接し、ディスプレイ装置で受信したビデオ信号を再生することを特徴とするチャンネル切換モジュール。
【請求項２】
請求項１記載のチャンネル切換モジュールにおいて、前記サーバホストのチャンネル切換ユニットは、データメモリモジュールでチャンネルを変えたりビデオチャンネルに切り換えたりした回数、ディスプレイ装置を見ている観客の総数及び人口流動率などのデータベースを記録し、サーバホストのコントローラをメディアプレイヤーが伝送モニタリングしたミス信号を受信できるデバッグフィードバックモジュールに連接し、メディアプレイヤーはデバッグモジュールによってビデオ信号伝送過程に於いて受信したビデオ信号が正常か否かを判断もしくはモニタリングし、次に撮影モジュールで前方の観客の映像を撮影し、且つ撮影モジュールは映像センサーもしく電荷結合素子映像センサーであることを特徴とするチャンネル切換モジュール。
【請求項３】
請求項１記載のチャンネル切換モジュールにおいて、前記サーバホストは、内部に複数のメディアファイルを具えたＤＶＤ、ＶＣＤもしくはＭＰ３等マルチメディアプレイ装置を設置し、街頭の大型映像ビジョン、表示映像スクリーン、車体もしくは車内メディア広告、及び定点広告看板等戸外広告メディアの使用に運用し、且つサーバホストの信号伝送モジュールは公用電話ネットワーク、インターネットもしくはデジタル加入者回線等有線伝送インターフェイスであり、もしくは無線周波数、無線ネットワーク、無線センサーネットワークもしくは３Ｇ、３．５Ｇの無線移動体通信等無線伝送インターフェイスであることを特徴とするチャンネル切換モジュール。
【請求項４】
請求項１記載のチャンネル切換モジュールにおいて、前記ディスプレイ装置とメディアプレイヤーの実行ユニットは、有線伝送もしくは無線伝送方式でビデオ信号の相互通信を形成し、且つディスプレイ装置はステレオ、テレビ、投影機もしくは液晶ディスプレイ等であることを特徴とするチャンネル切換モジュール。
【請求項５】
請求項１記載のチャンネル切換モジュールにおいて、前記ディスプレイ装置は、内部の回路内に更にメディアプレイヤーを内蔵することを特徴とするチャンネル切換モジュール。
【考案の詳細な説明】
【技術分野】
【０００１】
本考案は、チャンネル切換モジュールに関するもので、特にサーバホストによってメディアプレイヤーがモニタリングした誤った信号を受信すると、番組を切り換えるか、もしくはメディアチャンネルに切り換えるチャンネル切換モジュールに送り、メディアプレイヤーがディスプレイ装置に正常なメディア信号を再生できなくなるのを防止し、更に広告、テレビ番組を中断することなく伝送するチャンネル切換モジュールに係る。
【背景技術】
【０００２】
テレビが世に出て以来、初期の白黒テレビ受像管、カラーテレビ受像管から徐々に現在の液晶テレビ、プラズマテレビに代わって来た。そのテレビの表示効果はすでに高画質、高解析度、コントラスト良好、色彩度良好な時代に突入した。またテレビのチャンネル数もまた初期の指で数えられる程度のチャンネル数から今は百近いチャンネル数へと移り、且つテレビ信号の伝送方式も時代の流れによって変化し、アナログからデジタルへと急速に発展している。
【０００３】
現在のテレビモニターの信号伝送の種類は、アナログ信号もしくはデジタル信号に係りなく、すべて特定の再生方式により再生され、例としてテレビのディスプレイは信号コードをビデオトランシーバー上に連接し、このビデオトランシーバーで映像、音源を受信して再生する。特にパソコンディスプレイはＰＣホストに連接しなければならず、ＰＣホスト内部が処理するデータをディスプレイ上で表示、再生する。しかしながら、ＰＣディスプレイの進歩によって異なる変化があり、即ちＰＣホストがインターネットネットワークの相互連接により、リモート信号を伝送もしくは受信する機能を達成し、更にネットワーク撮影機によって即時にビデオ通信を行い、ＰＣディスプレイの用途が更に広がっている。
【０００４】
次に、近年、マルチメディアが流行し、消費者はいつでも何処でも関連業界が伝送した各種の情報や新しい知識を吸収することができる。例を挙げるとデパート、ファッションブティックもしくは各３Ｃ店舗(Communication,Computer,Control)では、そのほとんどが店の入り口に消費を促す広告を設置し、更には公共の場に大面積の広告看板もしくは街頭の大型映像ビジョンを設置し、消費者の購買意欲を高めたり、刺激したりする。
【０００５】
別に、公知のすべてのビデオ伝送の方法は、すべて有線インターフェイスで各種の信号を伝送していたが、最近では無線伝送方式によって信号の相互通信及び伝送が採用されている。この方法は主に一後方ポートのホスト（例としてＤＶＤプレイヤーもしくはコンピュータ等）でビデオ信号をコントローラへ伝送し、そしてコントローラに内臓した無線周波数でメディア信号を別一ポートのディスプレイ装置へ伝送して再生する。これによってユーザは外付けの回路を構築する必要がなく、回路架設のコストを下げ、家庭やオフィスもしくは公共の場の環境品質を高める。
【０００６】
ユーザもしくは管理者が表示ポートに於いて自由に切換が出来ず、一放送広告もしくはテレビ番組が正常に再生できないことを発見した時、電話もしくは無線対話器でメイン制御室もしくは管理室へ通報し、放送広告、テレビ番組のリセット、もしくは故障の排除を行う。しかし、この種の単方向無線メディアシステム制御方法は管理及び制御上の不便及び面倒をもたらす。
上述のとおり、仮にユーザもしくは管理者が放送した広告もしくはテレビ番組の故障を即座に発見できないと、該チャンネルは空きになり、広告、テレビ番組のコストを無駄にしてしまう。しかし、この状況は有料のチャンネルを購入して放送する企業にとって別の無形の損失であり、経済利益上、考慮しなければならない。
更に、一般消費者の年齢層は幅広く、個人によって買い物の習慣、消費能力はそれぞれ異なり、男女の好みもまた相当に異なる。該チャンネルは各消費者が即時その人に適した広告もしくはテレビ番組を視聴することが出来ない場合、消費者の購買意欲も下がり、広告、テレビ番組に依ってもたらされる利益及び効果が下がる。
【考案の開示】
【考案が解決しようとする課題】
【０００７】
本考案の主な目的は、サーバホストの内部にあるコントローラがメディアプレイヤーを制御して複数のメディアファイルのエンコード、デコードをそれぞれ行い、信号伝送モジュールは選択したメディア信号を外に伝送した後、メディアプレイヤーの信号伝送モジュールを通してサーバホストから伝送されたメディア信号を受信する。そして実行ユニットに連接したディスプレイ装置で再生する。しかしながら、仮にメディアプレイヤーのデバッグモジュールがモニタリングミスを犯した場合、即座にサーバホストのデバッグフィードバックモジュールによってモニタリングミスした信号を受信してコントローラに通報し、チャンネル切換ユニットで自動的に番組を変えるか、もしくはメディアチャンネルに即座に切り換える。このようにしてメディアプレイヤーが再生した広告、テレビ番組が故障した時、後方ポートのサーバホストが有効なチャンネルに自動的に切り換えてメディアプレイヤーがディスプレイ装置に正常なメディア信号を送れなくなるのを防止し、更に広告、テレビ番組の伝送が中断しない。
【０００８】
本考案の次の目的は、該メディアプレイヤー、撮影モジュールでディスプレイ装置の前方にいる観客の映像を撮影し、その映像をサーバホスト内部のコントローラに伝送して識別処理した後、観客の年齢層、性別、背の高さ等の属性範囲に基づき、チャンネル切換ユニットで番組を変更するか、もしくはメディアチャンネルに自動的に切り換えて、即座にその観客に適した広告もしくはテレビ番組を再生することにより、広告、テレビ番組視聴の利益を得る。
【０００９】
本考案の更に別の目的は、サーバホストに於いて、データメモリモジュールでメディアプレイヤーの撮影モジュールが撮影した映像を記録し、且つサーバホストで顔の識別、処理した後の観客の数を数え、チャンネル切換ユニットが番組を変えるか、もしくはメディアチャンネルに切り換えた回数を記録することにより、ディスプレイ装置を観ている観客の総数及び人口流動率を統計し、市場調査のデータとして参考にする。
【課題を解決するための手段】
【００１０】
請求項１の考案は、サーバホスト、メディアプレイヤー及びディスプレイ装置から構成されたチャンネル切換モジュールにおいて、そのうち、
該サーバホスト内部には一コントローラを具え、コントローラでメディアプレイヤー、信号伝送モジュール及びチャンネル切換ユニットに連接制御し、またメディアプロセッサで内部の複数のメディアファイルのエンコード、デコードを行った後、チャンネル切換ユニットでビデオチャンネルの切換を行い、信号伝送モジュールで選択したビデオ信号を外に向けて伝送し、
該メディアプレイヤーは、信号伝送モジュールでサーバホストが伝送したビデオ信号を受信し、その内部は一コントローラを具え、コントローラで連接制御した実行ユニットと外部のディスプレイ装置が電気連接し、ディスプレイ装置で受信したビデオ信号を再生することを特徴とするチャンネル切換モジュールとしている。
請求項２の考案は、請求項１記載のチャンネル切換モジュールにおいて、前記サーバホストのチャンネル切換ユニットは、データメモリモジュールでチャンネルを変えたりビデオチャンネルに切り換えたりした回数、ディスプレイ装置を見ている観客の総数及び人口流動率などのデータベースを記録し、サーバホストのコントローラをメディアプレイヤーが伝送モニタリングしたミス信号を受信できるデバッグフィードバックモジュールに連接し、メディアプレイヤーはデバッグモジュールによってビデオ信号伝送過程に於いて受信したビデオ信号が正常か否かを判断もしくはモニタリングし、次に撮影モジュールで前方の観客の映像を撮影し、且つ撮影モジュールは映像センサーもしく電荷結合素子映像センサーであることを特徴とするチャンネル切換モジュールとしている。
請求項３の考案は、請求項１記載のチャンネル切換モジュールにおいて、前記サーバホストは、内部に複数のメディアファイルを具えたＤＶＤ、ＶＣＤもしくはＭＰ３等マルチメディアプレイ装置を設置し、街頭の大型映像ビジョン、表示映像スクリーン、車体もしくは車内メディア広告、及び定点広告看板等戸外広告メディアの使用に運用し、且つサーバホストの信号伝送モジュールは公用電話ネットワーク、インターネットもしくはデジタル加入者回線等有線伝送インターフェイスであり、もしくは無線周波数、無線ネットワーク、無線センサーネットワークもしくは３Ｇ、３．５Ｇの無線移動体通信等無線伝送インターフェイスであることを特徴とするチャンネル切換モジュールとしている。
請求項４の考案は、請求項１記載のチャンネル切換モジュールにおいて、前記ディスプレイ装置とメディアプレイヤーの実行ユニットは、有線伝送もしくは無線伝送方式でビデオ信号の相互通信を形成し、且つディスプレイ装置はステレオ、テレビ、投影機もしくは液晶ディスプレイ等であることを特徴とするチャンネル切換モジュールとしている。
請求項５の考案は、請求項１記載のチャンネル切換モジュールにおいて、前記ディスプレイ装置は、内部の回路内に更にメディアプレイヤーを内蔵することを特徴とするチャンネル切換モジュールとしている。
【考案の効果】
【００１１】
本考案のチャンネル切換モジュールは、自動でチャンネル切換もしくはビデオチャンネルに即座に切り換えてメディアプレイヤー２がディスプレイ装置に正常にビデオ信号を再生できなくなるのを防止し、更に広告、テレビ番組の伝送が途切れないこと、及び双方向伝送の制御は管理及び制御上の不便と面倒をかけない等という利点がある。
【考案を実施するための最良の形態】
【００１２】
図１は、本考案実施例のシステムブロックダイアグラムである。図に示すとおり、本考案のチャンネル切換モジュールは、サーバホスト１、メディアプレイヤー２及びディスプレイ装置３から構成される。
そのうち、該サーバホスト１内部は、一コントローラ１１を具え、コントローラ１１をメディアプロセッサ１２、信号伝送モジュール１３、デバッグフィードバックモジュール１４、チャンネル切換ユニット１５及びデータメモリモジュール１６にそれぞれ連接してコントロールする。またコントローラ１１は主にサーバホスト１の制御ユニットである。且つメディアプロセッサ１２で内部の複数のメディアファイルに対してそれぞれエンコード、デコードすると、信号伝送モジュール１３でユーザの選択した指令(例としてユーザが外部のリモコンもしくはキータッチによってチャンネルもしくは音量の調整を指示した制御指令) もしくはその他のテレビもしくはメディアの信号を外に向けて伝送する。別にデバッグフィードバックモジュール１４によってメディアプレイヤー２が伝送したモニタリングミスの信号を受信することにより、コントローラ２１へ通報し、チャンネル切換ユニット１５で番組を変えるか、もしくはメディアチャンネルに切り換える。この他、データメモリモジュール１６でチャンネル切換ユニット１５の番組の切換もしくはメディアチャンネルへの切換回数を記録し、ディスプレイ装置３を見る観客総数と人口流動比率等のデータベースを注視する。
【００１３】
該メディアプレイヤー２の内部は、一コントローラ２１を具え、且つコントローラ２１は信号伝送モジュール２２、実行ユニット２３、デバッグモジュール２４及び撮影モジュール２５にそれぞれ連接して制御する。コントローラ２１は主にメディアプレイヤー２の制御ユニットである。更に信号伝送モジュール２２でサーバホスト１内部の信号伝送モジュール１３が対応伝送したメディア信号を受信し、次に実行ユニット２３で外部のディスプレイ装置３に電気連接し、ディスプレイ装置３でメディア信号を受信して表示、再生する。別にメディア信号伝送の過程に於いて、デバッグモジュール２４でメディアプレイヤー２が受信したメディア信号が正確化否かを判断もしくはモニタリングし、更に撮影モジュール２５で前方の観客の映像を撮影する。
【００１４】
ユーザが外部のリモコンを押す方式、もしくは直接サーバホスト１で再生の指令を下す場合、該指令は、コントローラ１１が受信した後、メディアプロセッサ１２へ伝送し、メディアプロセッサ１２でユーザが下した指令を処理する。同時に内部の複数のメディアファイルにエンコード、デコードした後、次に信号伝送モジュール１３でユーザが選択したメディア信号もしくはチャンネルを前ポートのメディアプレイヤー２内に伝送する。この時、メディアプレイヤー２に対応する信号伝送モジュール２２が新しいメディア信号を受信し、そのうち信号伝送モジュール１３と信号伝送モジュール２２両者間の伝送方式は有線もしくは無線伝送のインターフェイスである。またそのメディア信号がコントローラ２１へ伝送されるのを待って、次に実行ユニット２３で外部のディスプレイ装置３に電気連接し、ディスプレイ装置３でメディア信号を受信した後、表示、再生を行い、ディスプレイ装置３前方の観客が再生したい広告もしくはテレビ番組を表示して広告もしくはテレビ番組の効果を達成する。
【００１５】
次にこのメディア信号の伝送過程に於いて、メディアプレイヤー２内部のデバッグモジュール２４で信号伝送モジュール２２が正確なメディア信号を受け取ったか否かを判断もしくはモニタリングする。しかしながら、仮にメディアプレイヤー２がディスプレイ装置３で正常な再生が出来ない時、その信号伝送モジュール２２で後方ポートのサーバホスト１内部のコントローラ１１が制御して伝送した使用可能のメディア信号を検索し、且つデバッグフィードバックモジュール１４でメディアプレイヤー２が伝送したモニタリングミスの信号を受信し、コントローラ２１へ通報した後、チャンネル切換ユニット１５で番組の切換もしくはメディアチャンネルへのスピーディな切換を行う。同時にユーザがこの後方ポートのサーバホスト１のチャンネル切換ユニット１５で直接、前ポートのメディアプレイヤー２が調整したいチャンネルを選択するか、もしくはロックする。このようにメディアプレイヤー２が正常に受信できないか、もしくはディスプレイ装置３でメディア信号、もしくはその他の広告、テレビ番組を放送できなくなるのを防止し、更にメディア信号もしくはその他の広告、テレビ番組の伝送が途切れないようにする。
【００１６】
別に、該メディアプレイヤー２は、撮影モジュール２５でディスプレイ装置３前方の観客の映像を撮影し、信号伝送モジュール２２でサーバホスト１に対応する信号伝送モジュール１３へ映像を伝送し、且つ内部のコントローラ１１で顔の特徴を識別してバーチャル処理を行った後、チャンネル切換ユニット１５で番組を変えるか、もしくはメディアチャンネルに切り換える。このようにして観客の年齢層、性別、身長等の属性範囲に基づき、即時にその観客に適した広告もしくはテレビ番組に切り換えて広告、テレビ番組を視聴することによる効果を高める。
【００１７】
この他、サーバホスト１のデータメモリモジュール１６でメディアプレイヤー２の撮影モジュール２５が撮影した映像を記録し、且つサーバホスト１が顔の識別、処理の後の観客の数を数え、チャンネル切換ユニット１５の番組切換もしくはメディアチャンネルへの切換の回数を記録することによってディスプレイ装置３を観る観客総数と人口流動率を統計し、市場調査上のデータとして参考にする。
【００１８】
更に上述のサーバホスト１内部は複数のメディアファイルを具えたＤＶＤ、ＶＣＤもしくはＭＰ３等マルチメディアプレイ装置を設置してもよい。サーバホスト１とメディアプレイヤー２内部にそれぞれ設置した信号伝送モジュール１３、２２は、公用の電話ネットワーク、インターネットもしくはデジタル加入者回線(Digital Subscriber Line,DSL)等有線伝送インターフェイスであり、もしくは無線周波数、無線ネットワーク(Wireless Lan)、無線センサーネットワーク(IRRR802.15.4,Zigbee)もしくは３Ｇ、３．５Ｇの無線移動体通信等無線伝送インターフェイスである。更に撮影モジュール２５は、映像センサーもしくは電荷結合素子(charge-coupled device,CCD)映像センサーである。別に該ディスプレイ装置３とメディアプレイヤー２の実行ユニット２３は有線伝送もしくは無線伝送方式でビデオ信号の相互通信を形成する。また該ディスプレイ装置３はステレオ、テレビ、投影機もしくは液晶ディスプレイなどであり、ユーザの必要及び用途に応じて弾力的に変更もしくは入れ替えをする。また戸外の広告媒体（例として街頭の大型映像ビジョン、表示映像スクリーン、車体もしくは車内メディア広告及び定点広告看板等）で運用し、相互に合わせて使用し、適用範囲を広げる。但し、この種の簡易修飾及び同効果の構造変化はすべて本考案の請求範囲に含まれる。
【００１９】
図２は、本考案の別の実施例のシステムブロックダイアグラムである。図に示すとおり、上述のメディアプレイヤー２をディスプレイ装置３内部の回路内に内蔵し、ビデオ信号を受信して表示、再生する。そのうち、ディスプレイ装置３内部は一メディアプレイヤー２を具え、そのコントローラ２１に信号伝送モジュール２２、実行ユニット２３、デバッグモジュール２４及び撮影モジュール２５をそれぞれ連接して制御し、信号伝送モジュール２２でサーバホスト１内部の信号伝送モジュール１３で対応伝送したビデオ信号を受信し、且つビデオ信号伝送過程に於いて、デバッグモジュール２４でメディアプレイヤー２が受信したビデオ信号が正確か否かを判断もしくはモニタリングする。更に撮影モジュール２５で前方の観客の映像を撮影する。また上述の詳細説明は、本考案の実施できる実施例の説明に過ぎず、これら実施例が本考案の請求範囲を制限することはない。また本考案が提示した技術精神から乖離せずに完成した同等の変化と修飾変更は、すべて本考案の範囲に属するものとする。
【００２０】
上述の本考案のチャンネル切換モジュールを実際に使用した時、下述の長所を有する。
１．メディアプレイヤー２のデバッグモジュール２４がモニタリングミスした時、即座にサーバホスト１のデバッグフィードバックモジュール１４からモニタリングミスの信号を受け取り、コントローラ１１に通報すると、自動的にチャンネル切換ユニット１５が番組を切り換えるか、もしくはビデオチャンネルに即座に切り換えてメディアプレイヤー２がディスプレイ装置３に正常にビデオ信号を再生できなくなるのを防止し、更に広告、テレビ番組の伝送が途切れない効果を高める。
２．ユーザがこの後方ポートのサーバホスト１のチャンネル切換ユニット１５を直接選択するか、もしくは自動で前ポートのメディアプレイヤー２が調整したいチャンネルをロックするので、電話もしくは無線対話器でメイン制御室もしくは管理室に通報する必要がなく、即座に広告、テレビ番組のリセットを行うか、もしくは故障を排除する。更にこの種の双方向伝送の制御は管理及び制御上の不便と面倒をかけない。
３．仮に再生した広告もしくはテレビ番組の故障を即時発見できなかった場合、チャンネル切換ユニット１５が自動でチャンネルを変える、もしくはビデオチャンネルに切り換えるため、該ビデオチャンネルの空きを起こさず、無形の損失を減らし、広告、テレビ番組のコストの浪費を有効に減らし、経済利益に合致する。
４．該メディアプレイヤー２は、撮影モジュールでディスプレイ装置３前方の観客の映像を撮影し、チャンネル切換ユニット１５で番組を切り換えるか、もしくはビデオチャネルに切り換えて観客の年齢層、性別等の属性範囲に基づき即時、その観客に適した広告もしくはテレビ番組の種類にチャンネルを切り換えて広告、テレビ番組を視聴する利益と効果をもたらす。
５．サーバホスト１のデータメモリモジュール１６はメディアプレイヤー２の撮影モジュール２５で撮影した観客の映像の数量によってチャンネル切換ユニットがチャンネル切換もしくはビデオチャンネルに切り換えた回数を記録し、ディスプレイ装置３の観客総数と人口流動率を統計し、市場調査上のデータとして参考使用する。
【図面の簡単な説明】
【００２１】
【図１】本考案の実施例のシステムブロックダイアグラムである。
【図２】本考案の別の一実施例のシステムブロックダイアグラムである。
【符号の説明】
【００２２】
１          サーバホスト
１１        コントローラ
１２        メディアプロセッサ
１３        信号伝送モジュール
１４        デバッグフィードバックモジュール
１５        チャンネル切換ユニット
１６        データメモリモジュール
２          メディアプレイヤー
２１        コントローラ
２２        信号伝送モジュール
２３        実行ユニット
２４        デバッグモジュール
２５        撮影モジュール
【図１】
0003144178.tif 000003
【図２】
0003144178.tif 000004
【手続補正書】
【提出日】平成20年6月18日(2008.6.18)
【手続補正１】
【補正対象書類名】明細書
【補正対象項目名】００１８
【補正方法】変更
【補正の内容】
【００１８】
更に上述のサーバホスト１内部は複数のメディアファイルを具えたＤＶＤ、ＶＣＤもしくはＭＰ３等マルチメディアプレイ装置を設置してもよい。サーバホスト１とメディアプレイヤー２内部にそれぞれ設置した信号伝送モジュール１３、２２は、公用の電話ネットワーク、インターネットもしくはデジタル加入者回線(Digital Subscriber Line,DSL)等有線伝送インターフェイスであり、もしくは無線周波数、無線ネットワーク(Wireless Lan)、無線センサーネットワーク(IRRR802.15.4,Zigbee（登録商標）)もしくは３Ｇ、３．５Ｇの無線移動体通信等無線伝送インターフェイスである。更に撮影モジュール２５は、映像センサーもしくは電荷結合素子(charge-coupled device,CCD)映像センサーである。別に該ディスプレイ装置３とメディアプレイヤー２の実行ユニット２３は有線伝送もしくは無線伝送方式でビデオ信号の相互通信を形成する。また該ディスプレイ装置３はステレオ、テレビ、投影機もしくは液晶ディスプレイなどであり、ユーザの必要及び用途に応じて弾力的に変更もしくは入れ替えをする。また戸外の広告媒体（例として街頭の大型映像ビジョン、表示映像スクリーン、車体もしくは車内メディア広告及び定点広告看板等）で運用し、相互に合わせて使用し、適用範囲を広げる。但し、この種の簡易修飾及び同効果の構造変化はすべて本考案の請求範囲に含まれる。